(57)【要約】【課題】  ソケットからのランプの取外し時にセードを取り外さずともランプを破損しにくい照明器具を提供する。【解決手段】  ランプ１の口金１１が嵌合により着脱自在に接続されるソケット３と、ソケット３を保持した器具本体２と、器具本体２に機械的に結合してランプ１を覆うセード４とを備える。セード４の内面に、それぞれセード４よりも柔軟な材料からなる緩衝体６１，６２を配置した。ランプ１を取り外す際のセード４への衝突によるランプ１の破損が、緩衝体６１，６２により抑制される。【選択図】図１
2009004185.tif 000002
【特許請求の範囲】
【請求項１】
透光性を有する材料からなり放電ガスが封入されたバルブと、バルブに対して互いに共通の突出方向に突出する少なくとも１個の口金とを有するランプが取り付けられる照明器具であって、
ランプの１個ずつの口金が上記突出方向への嵌合によって電気的且つ機械的に接続される少なくとも１個のソケットと、
ランプの各口金にそれぞれソケットを介して電気的に接続されてランプを点灯させる点灯装置と、
点灯装置を収納するとともに各ソケットをそれぞれ保持する器具本体と、
器具本体に支持され、少なくともソケットから口金を抜く方向から見て、各口金をそれぞれソケットに嵌合させたランプを覆うセードと、
それぞれセードよりも柔軟な材料からなりセードにおいてランプに向けられる面より突出する形でセードに対して固定された少なくとも１個の緩衝体とを備えることを特徴とする照明器具。
【請求項２】
ランプは直管型であって口金はバルブの管軸方向の両端部にそれぞれ設けられ、
各口金においてソケットへの嵌合方向はそれぞれ管軸方向に直交する方向であり、
緩衝体は、複数個であって、各口金をそれぞれソケットに嵌合させたランプの管軸方向に直交する仮想平面であって該ランプの管軸方向の中央を通る仮想平面に関して対称に配置されていることを特徴とする請求項１記載の照明器具。
【請求項３】
緩衝体は、各口金をそれぞれソケットに嵌合させたランプの管軸方向の両端付近となる位置にそれぞれ配置されていることを特徴とする請求項２記載の照明器具。
【発明の詳細な説明】
【技術分野】
【０００１】
本発明は、照明器具に関するものである。
【背景技術】
【０００２】
従来から、光源として直管型のランプ（放電灯）を用いる照明器具が提供されている（例えば、特許文献１参照）。
【０００３】
従来は、直管型のランプとしては、例えばガラスのような透光性を有する材料からなり放電ガスが封入された管状のバルブの両端に、それぞれ管軸方向の外向きに突出した端子ピンを有する口金が設けられたものが一般的であった。しかし、この種のランプは、ソケットに着脱する際に、ランプ全体を管軸周りに回動させる操作か、一方の口金を一旦ソケット内に押し込む操作が必要となっており、ソケットへの着脱が煩わしかった。
【０００４】
そこで、近年、図３及び図４（ａ）（ｂ）に示すように、中空の円柱形状のバルブ１０と、バルブ１０の管軸方向の両端部にそれぞれ設けられバルブ１０に対して管軸方向に直交する方向であって互いに同じ突出方向へ突出する口金１１とを有するランプ１が提供されている。各口金１１には、それぞれ、導電材料からなりバルブ１０内の放電用電極（図示せず）に電気的に接続されソケット３の導電部に接触導通する端子ピン１１ａが、上記突出方向へ突設されている。このランプ１であれば、上記突出方向への嵌合により口金１１をソケット３に対して容易に着脱可能とすることができる。
【０００５】
また、図３及び図４（ａ）（ｂ）には、上記ランプ１に対応した従来の照明器具も描かれている。以下、左右は図４（ａ）を基準とし、図４（ａ）の下上方向を前後方向と呼び、図４（ｂ）の左右方向を上下方向と呼んで、上記従来の照明器具について説明する。なお、上記の方向は使用状態での方向とは必ずしも一致しない。
【０００６】
この照明器具は、取り付けられるランプ１の管軸方向である左右方向に長い形状の器具本体２と、器具本体２の左右両端部にそれぞれ保持されたソケット３と、金属からなり前方及び下方から見てランプ１を覆うセード４とを備える。つまり、この照明器具は、ランプ１の光が主に後方と上方とに出射されるものであり、間接照明に用いられる。器具本体２には、ランプ１を点灯させるための例えば周知の電子安定器のような点灯装置２０が収納されている。なお、図４（ｂ）では器具本体２の内部の図示は省略している。
【０００７】
器具本体２は、点灯装置２０が収納される収納凹部２１ａが前面に開口した直方体形状のボディ２１と、後面が開口した直方体形状であってボディ２１の前側に被着されて収納凹部２１ａを覆うカバー２２とを備える。ボディ２１の左右両端部であってソケット３よりも内側においてそれぞれ収納凹部２１ａの底面には、ねじ挿通穴２１ｂが前後に貫設されており、このねじ挿通穴２１ｂに挿通されて壁面等の施工面Ｗに螺合するねじＳ１により、ボディ２１は施工面Ｗにねじ止め固定される。また、ボディ２１の収納凹部２１ａの底面において左右方向での中央部には、点灯装置２０に接続される電線Ｃを挿通するための電線挿通穴２１ｃが前後に貫設されている。さらに、ボディ２１の左右両端部であって上記ねじ挿通穴２１ｂとソケット３との間には、それぞれ前端部にねじ挿通穴２１ｅが設けられたねじ止め部２１ｄが前方に突設されている。カバー２２においてねじ止め部２１ｄのねじ挿通穴２１ｅに対応する位置にもねじ挿通穴２２ｂが前後に貫設されており、これらのねじ挿通穴２２ｂ，２１ｅを貫通するねじＳ２によりカバー２２はボディ２１にねじ止めされる。また、カバー２２の前面の左右両端部には、それぞれソケット３を露出させる露出穴２２ａが前後に貫設されている。さらに、カバー２２の左右両端には、それぞれ、金属からなりカバー２２よりも前方へ突出して左右方向から見てランプ１を覆う端壁２３と、例えば合成樹脂成型品からなり左右方向の外側から見て端壁２３を覆うエンドキャップ２４とが取り付けられている。
【０００８】
各ソケット３は、それぞれ、例えば合成樹脂成型品からなり端子ピン１１ａが挿入されるピン挿入穴（図示せず）が前面に開口したソケット本体３０と、点灯装置２０に電気的に接続されるとともにソケット本体３０内に収納されてピン挿入穴から挿入された端子ピン１１ａに接触導通する導電ブロック（図示せず）とを有する。
【０００９】
セード４は、上下に扁平であって下方から見てランプ１を覆う下板４１と、下板４１の前端から上方に突設され前後に扁平であって前方から見てランプ１を覆う前板４２とを有し、全体として断面Ｌ字形状となっている。また、下板４１の後端部には先部が前方へ曲がった断面Ｌ字形状の下側係止部４１ａが上方へ突設されるとともに、前板４２の上端部には先部が下方へ曲がった断面Ｌ字形状の前側係止部４２ａが後方へ突設されている。セード４には、断面Ｌ字形状の４個の連結金具５１，５２が、左右に並べて、それぞれ、上端部を前板４２と前側係止部４２ａとの間に挟まれ、後端部を下板４１と下側係止部４１ａとの間に挟まれることにより、セード４に保持されている。セード４は、内側の２個の連結金具５１が、それぞれ器具本体２にねじ止めされた支持金具２５にねじ止めされることにより、器具本体２に対して固定されている。また、外側の２個の連結金具５２は、それぞれ左右方向から見てセード４を覆うセード用のエンドキャップ５３のねじ止め固定に用いられる。なお、図４（ｂ）では外側の連結金具５２の図示は省略している。
【００１０】
また、器具本体２には、それぞれ板ばねからなりランプ１の１個ずつの口金１１を上下方向から弾性的に挟持してソケット本体３０とともにソケット３を構成する２組の挟持金具３１が連結されている。各挟持金具３１には、それぞれ上下方向の内側に突出する係止凸部３１ａが曲げ加工により設けられている。ランプ１の各口金１１には、それぞれ被係止凸部１１ｂが上下方向の外向きに突設されている。端子ピン１１ａがソケット本体３０のピン挿入穴に挿入された状態では、口金１１が挟持金具３１に上下から弾性的に挟持されるとともに、各被係止凸部１１ｂがそれぞれ係止凸部３１ａに係止される（つまり、口金１１がソケット３の挟持金具３１間に嵌合する）ことにより、ソケット３からのランプ１の脱落が防止される。
【００１１】
ランプ１を取り外す際には、図４（ｂ）に矢印Ａ１で示すようにランプ１を前方に引くだけで、挟持金具３１が弾性変形して係止凸部３１ａの被係止凸部１１ｂへの係止が解除され、ランプ１をソケット３から取り外すことができる。各係止凸部３１ａはそれぞれ前後方向の中央に向かって突出寸法を大きくするように傾斜しており、ランプ１の着脱時には、前後方向の力を加えるだけで、上記傾斜に被係止凸部１１ｂがガイドされて上記の係脱がなされる。
【特許文献１】特開２００７−１３４１７４号公報
【発明の開示】
【発明が解決しようとする課題】
【００１２】
しかし、上記従来の照明器具では、ランプ１をソケット３から取り外す際、嵌合が解除された直後（上記の例では被係止凸部１１ｂが係止凸部３１ａを乗り越えた直後）に抵抗力が急激に低下するため、勢い余ってランプ１をセード３にぶつけてしまう可能性があった。
【００１３】
ランプ１を取り外す前にセード４を取り外しておけば、上記のようにランプ１をセード４にぶつけることは防止されるが、その場合にはセード４の着脱作業が必要となってしまう。
【００１４】
本発明は、上記事由に鑑みて為されたものであり、その目的は、ソケットからのランプの取外し時にセードを取り外さずともランプを破損しにくい照明器具を提供することにある。
【課題を解決するための手段】
【００１５】
請求項１の発明は、透光性を有する材料からなり放電ガスが封入されたバルブと、バルブに対して互いに共通の突出方向に突出する少なくとも１個の口金とを有するランプが取り付けられる照明器具であって、ランプの１個ずつの口金が上記突出方向への嵌合によって電気的且つ機械的に接続される少なくとも１個のソケットと、ランプの各口金にそれぞれソケットを介して電気的に接続されてランプを点灯させる点灯装置と、点灯装置を収納するとともに各ソケットをそれぞれ保持する器具本体と、器具本体に支持され、少なくともソケットから口金を抜く方向から見て、各口金をそれぞれソケットに嵌合させたランプを覆うセードと、それぞれセードよりも柔軟な材料からなりセードにおいてランプに向けられる面より突出する形でセードに対して固定された少なくとも１個の緩衝体とを備えることを特徴とする。
【００１６】
この発明によれば、ソケットからのランプの取外し時にセードを取り外さずとも、緩衝体により、ランプとセードとの衝突によるランプの破損が抑制される。
【００１７】
請求項２の発明は、請求項１の発明において、ランプは直管型であって口金はバルブの管軸方向の両端部にそれぞれ設けられ、各口金においてソケットへの嵌合方向はそれぞれ管軸方向に直交する方向であり、緩衝体は、複数個であって、各口金をそれぞれソケットに嵌合させたランプの管軸方向に直交する仮想平面であって該ランプの管軸方向の中央を通る仮想平面に関して対称に配置されていることを特徴とする。
【００１８】
請求項３の発明は、請求項２の発明において、緩衝体は、各口金をそれぞれソケットに嵌合させたランプの管軸方向の両端付近となる位置にそれぞれ配置されていることを特徴とする。
【発明の効果】
【００１９】
本発明によれば、セードよりも柔軟な材料からなり、セードに対して固定され、セードにおいてランプに向けられる面より突出する緩衝体により、ソケットからのランプの取外し時にセードを取り外さずとも、ランプとセードとの衝突によるランプの破損が抑制される。
【発明を実施するための最良の形態】
【００２０】
以下、本発明を実施するための最良の形態について、図面を参照しながら説明する。
【００２１】
本実施形態の基本構成は図３及び図４（ａ）（ｂ）に示した従来例と共通であるので、上記従来例と異なる部分についてのみ説明する。また、以下の説明において用いる方向の表現（前後左右上下）については、上記従来例の説明において用いた方向の表現と同様とする。
【００２２】
本実施形態は、図１（ａ）（ｂ）に示すように、セード４の左右両端部において、ランプ１に向けられる面である下板４１の上面と前板４２の後面とに、それぞれ、セード４よりも柔軟な材料からなる緩衝体６１，６２が上記の面から突出する形で固着されていることを特徴としている。緩衝体６１，６２の配置は、各口金１１がそれぞれソケット３に接続されたランプ１の管軸方向（左右方向）の中央を通り左右方向に直交する仮想平面に関して対称となっている。緩衝体６１，６２の材料としては、例えばパッキンの材料としても用いられるような柔軟性の高いシリコーン樹脂（いわゆるシリコーンゴム）を用いることができる。また、セード４への緩衝体６１，６２の固着手段としては、例えば接着剤を用いることができる。下板４１に固着された各緩衝体６２はそれぞれ各口金１１がそれぞれソケット３に接続されたランプ１の管軸方向の端部の下側においてセード４とランプ１との間に位置し、前板４２に固着された各緩衝体６１はそれぞれ各口金１１がそれぞれソケット３に接続されたランプ１の管軸方向の端部の前側（すなわち口金１１をソケット３から抜く方向）においてセード４とランプ１との間に位置する。
【００２３】
上記構成によれば、ソケット３からのランプ２の取外し時にセード４を取り外さずとも、ランプ１とセード４との衝突によるランプ１の破損が、緩衝体６１，６２によって抑制される。
【００２４】
なお、緩衝体６１，６２の配置及び寸法形状は上記に限られず、例えば図２（ａ）（ｂ）に示すようにセード４の左右の略全長にわたる緩衝体６１，６２を設けてもよいが、図１（ａ）（ｂ）に示すように左右両端部のみに設けたほうが、製造コストが低減される上に、緩衝体６１，６２による配光への影響が少ないという利点がある。
【図面の簡単な説明】
【００２５】
【図１】（ａ）（ｂ）はそれぞれ本発明の実施形態を示し、（ａ）は要部を示す平面図であり、（ｂ）は断面図である。
【図２】（ａ）（ｂ）はそれぞれ同上の別の形態を示し、（ａ）は要部を示す平面図であり、（ｂ）は断面図である。
【図３】従来例を示す分解斜視図である。
【図４】（ａ）（ｂ）はそれぞれ同上を示し、（ａ）は要部を示す平面図であり、（ｂ）は断面図である。
【符号の説明】
【００２６】
１  ランプ
２  器具本体
３  ソケット
４  セード
１１  口金
６１，６２  緩衝体
【図１】
2009004185.tif 000003
【図２】
2009004185.tif 000004
【図３】
2009004185.tif 000005
【図４】
2009004185.tif 000006